(57)【特許請求の範囲】
【請求項１】
鉛直方向に長い縦溝を等間隔で４本有する２本のあらわしの鋼製構造柱の間に被固定材を固定する固定構造であって、
前記縦溝は、溝入口の幅が溝内部の幅よりも短く形成されるとともに、前記溝内部に弾性材料が挿入されており、
前記被固定材は平板状に形成されておりその両側端縁が互いに向かい合って開口する前記縦溝に挿入された状態で前記弾性材料を圧縮し、当該弾性材料が前記被固定材の両側縁の端面及び両板面に圧接するものであり、
前記鋼製構造柱は、断面視したときに外周に沿って互いに間隔を開けて等間隔に配置される４つの楕円の楕円弧により当該鋼製構造柱の外周面が形成されるとともに、前記楕円弧の間の前記間隔にそれぞれ前記縦溝が形成され、
当該縦溝の溝入口は互いに隣り合う前記楕円弧の曲線によって形成されていることを特徴とする固定構造。
【請求項２】
前記被固定材は透明板又は半透明板であることを特徴とする請求項１に記載の固定構造。
【請求項３】
請求項１又は請求項２に記載の固定構造の施工方法であって、
上下の建物構造材の間に前記鋼製構造柱を前記縦溝同士が互いに向かって開口するように２本並べて固定し、
前記縦溝の内部に弾性材料を挿入し、
前記２本の鋼製構造柱の前記縦溝の前記溝入口同士の間の距離よりも長く、且つ前記２本の鋼製構造柱の前記縦溝の溝底同士の間の距離よりも短い幅の矩形板状に形成された前記被固定材を、一方の前記鋼製構造柱と干渉しないように斜めに向けて他方の前記鋼製構造柱の前記縦溝に当該被固定材の一方の側縁を挿入して当該縦溝内の前記弾性材料を圧縮し、その後、前記被固定材の他方の側縁を一方の前記鋼製構造柱の前記縦溝に挿入して前記弾性材料を圧縮し、前記２本の鋼製構造柱の間に前記被固定材を固定することを特徴とする固定構造の施工方法。
【発明の詳細な説明】
【技術分野】
【０００１】
本発明は、鉛直方向に長い縦溝を有する鋼製構造柱に被固定材を固定する固定構造に関する。
【背景技術】
【０００２】
従来より、仮設建物の柱材に板材を固定する場合に、柱材に設けられた縦溝に板材の側縁部を挿入して固定しているものが開示されている（例えば、特許文献１参照）。この発明における柱材は断面四角形の鋼材の直交する２面にＣ型の鋼材を縦溝が外を向くように溶接して固定しており、縦溝に板材を固定して外壁を形成することで簡単に見栄えよく柱材に板材を固定できるとするものである。
【０００３】
ところで、一般に住宅等の建物の構造柱はあらわしとすると高い意匠性が要求されるので、鉄骨造の場合にはあまり用いられることがなく、鋼製構造柱は壁内や化粧材で覆って隠されていることが多い。そして、構造柱を露出する場合にも金具が大きく露出することになり意匠性に優れない。
【０００４】
また、例えば部屋間の視線制御のために構造柱ではない木下地による列柱や横格子を設けることが知られているが、鋼製構造柱を視線制御に用いた技術は知られていない。
【先行技術文献】
【特許文献】
【０００５】
【特許文献１】特開２０００−６４５０４号公報
【発明の概要】
【発明が解決しようとする課題】
【０００６】
ところで、上述の特許文献１の柱材は、仮設建物の外壁を構成する柱材であり求められる意匠性は高くない。また、単に板材の側縁部を柱材の縦溝に挿入しているだけなので、十分な固定ができていない。
【０００７】
また、鋼製構造柱を化粧材等で覆う場合には柱が太くなる問題が有り、一方、鋼製構造柱自体を細くした場合や鋼製でない構造柱とすると、構造柱としての強度を保つことが困難となる。また、鋼製構造柱に造作材を固定しようとすると、溶接やボルト止めなど大掛かりな作業が必要となり、意匠性にも優れない。
【０００８】
そこで本発明は、縦溝を有する鋼製構造柱に被固定材を固定する固定構造であって、簡単に被固定材を鋼製構造柱に見栄えよく固定することができ、造作材を簡単に設置することが可能な固定構造を提供することを目的とする。
【課題を解決するための手段】
【０００９】
本発明の固定構造は、鉛直方向に長い縦溝を等間隔で４本有する２本のあらわしの鋼製構造柱の間に被固定材を固定する固定構造であって、前記縦溝は、溝入口の幅が溝内部の幅よりも短く形成されるとともに、前記溝内部に弾性材料が挿入されており、前記被固定材は平板状に形成されておりその両側端縁が互いに向かい合って開口する前記縦溝に挿入された状態で前記弾性材料を圧縮し、当該弾性材料が被固定材の両側縁の端面及び両板面に圧接するものであり、前記鋼製構造柱は、断面視したときに外周に沿って互いに間隔を開けて等間隔に配置される４つの楕円の楕円弧により当該鋼製構造柱の外周面が形成されるとともに、前記楕円弧の間の前記間隔にそれぞれ前記縦溝が形成され、当該縦溝の溝入口は互いに隣り合う前記楕円弧の曲線によって形成されていることを特徴としている。
【００１０】
本発明の固定構造は、前記被固定材は透明板又は半透明板であることを特徴としている。
【００１６】
本発明の固定構造の施工方法は、上記いずれかの固定構造の施工方法であって、上下の建物構造材の間に前記鋼製構造柱を前記縦溝同士が互いに向かって開口するように２本並べて固定し、前記縦溝の内部に弾性材料を挿入し、前記２本の鋼製構造柱の前記縦溝の前記溝入口同士の間の距離よりも長く、且つ前記２本の鋼製構造柱の前記縦溝の溝底同士の間の距離よりも短い幅の矩形板状に形成された前記被固定材を、一方の前記鋼製構造柱と干渉しないように斜めに向けて他方の前記鋼製構造柱の前記縦溝に当該被固定材の一方の側縁を挿入して当該縦溝内の前記弾性材料を圧縮し、その後、前記被固定材の他方の側縁を一方の前記鋼製構造柱の前記縦溝に挿入して前記弾性材料を圧縮し、前記２本の鋼製構造柱の間に前記被固定材を固定することを特徴としている。
【発明の効果】
【００１８】
本発明の固定構造によると、鋼製構造柱の縦溝が、溝入口の幅が溝内部の幅よりも短く形成されており、且つ溝内部に弾性材料が挿入されているので、被固定材の両側端縁が２本の構成構造柱の縦溝に挿入された状態で弾性材料が圧縮されることで、弾性材料が被固定材の両側縁に圧接することで、縦溝に被固定材を挿入するだけで簡単に被固定材を縦溝に固定することができ、しかも、金具を用いることなく、見栄えよく固定することができる。
【００１９】
本発明の固定構造によると、被固定材が透明又は半透明板であるので、空間を仕切る透明又は半透明板を極めて簡単に固定することができ、意匠性にも優れたものとすることができる。
【００２３】
本発明の固定構造によると、鋼製構造柱の外周廻りに等間隔で４本の縦溝が形成されているので、鋼製構造柱の４方向にそれぞれ溝固定部を固定することができ、必要な間取りに応じて様々な造作材を設置することができる。しかも、４本の縦溝が設けられることにより、１本の鋼製構造柱が４本の細い柱材の集合のように見え意匠性に優れる。
【００２４】
本発明の固定構造によると、鋼製構造柱は断面視したときに外周が円弧又は楕円弧で形成されているので、安全性が高いとともに、意匠性にも優れる。
【００２５】
本発明の固定構造の施工方法によると、被固定材は、２本の鋼製構造柱の溝底同士の間の距離よりも短い幅の矩形板状であるので、斜めに向けて他方の鋼製構造柱の縦溝に被固定材の一方の側縁を挿入した際に、一方の鋼製構造柱の縦溝に被固定材の他方の側縁を挿入することができ、縦溝内で両側縁が弾性材料を圧縮したときには、被固定材の幅が２本の鋼製構造柱の縦溝の溝入口同士の間の距離よりも長いので外れることを確実に防止することができ、簡単に意匠性よく被固定材を鋼製構造柱に固定することができる。
【図面の簡単な説明】
【００２７】
【図１】鋼製構造柱の形状を示す水平断面図。
【図２】鋼製構造柱の構成を示す一部拡大斜視図。
【図３】２本の鋼製構造柱を上下の建物構造材の間に固定した状態を示す図。
【図４】第一実施形態の固定構造の施工方法を示す図。
【図５】図４（Ｂ）の状態を示す斜視図。
【図６】図４（Ｃ）の状態を示す斜視図。
【発明を実施するための形態】
【００２８】
〔第一実施形態〕
以下、本発明の固定構造１及び固定構造の施工方法の第一実施形態について図１から図６を参照しつつ説明する。固定構造１は、縦溝２を有するあらわしの鋼製構造柱３に被固定材４を固定する構造である。なお、各図において図示の都合上、鋼製構造柱３は鉛直方向の一部のみを抜き出して記載している。
【００２９】
鋼製構造柱３は、図１及び図２に示すように、縦方向に長い縦溝２を外周廻りに等間隔で４本有する鋼製の柱材である。縦溝２は、外周の９０度毎に配置され、４方向に開口している。なお、鋼製構造柱３の縦溝２は４方向にそれぞれ設けられるものに限られるものではなく、少なくとも鋼製構造柱３に１本以上の縦溝２が設けられていればよい。鋼製構造柱３は、図１に示すように中実で水平断面を見た場合に外周面が４つの楕円弧で形成されており、その間に縦溝２が形成されている。縦溝２は、溝入口の幅Ｗ１が狭まるように溝入口２１の縁が膨らんで形成されており、溝入口の幅Ｗ１が溝内部の幅Ｗ２よりも短く形成されている。なお、溝入口の幅Ｗ１とは縦溝２の最も外部側の位置に限られず、縦溝２の外部側に近い位置であり、溝入口２１の縁の膨らんだ部分の反対側の縁に最も接近する位置をいう。また、溝内部の幅Ｗ２とは縦溝２の溝入口２１よりも奥側で最も幅広の部分をいう。
【００３０】
鋼製構造柱３は、図３に示すように、柱頭及び柱脚にフランジ５が形成された固定部６が設けられており、柱頭及び柱脚が建物の構造材に固定されている。なお、図３においては、鋼製構造柱３の上下に建物構造材７としてＨ形鋼の梁を配置した例を示しているが、建物構造材７はＨ形鋼に限定されるものではなく、例えば鋼製構造柱３を１階に設置する場合には柱脚は建物構造材７としての基礎に固定されていても良い。
【００３１】
鋼製構造柱３は、図３に示すように、２本以上並べて設置されている。鋼製構造柱３はあらわしの柱であるので、表面に意匠性を考慮した質感を出す塗装や加工を行っていても良い。
【００３２】
被固定材４は、本実施形態においては透明板４ａである。透明板４ａは矩形平板状に形成されており、例えばガラス又はアクリルなどの材料で透明に形成されている。なお、本実施形態の被固定材４は透明のものに限られるものではなく、半透明板であっても良い。また、例えば簡易的に間仕切る場合には被固定材４として合板などのボードを用いても良い。
【００３３】
透明板４ａは、２本並べられた鋼製構造柱３の縦溝２の溝入口２１同士の間の距離よりも長く、且つ縦溝２の溝底２２同士の間の距離よりも短い幅に形成されており、高さが床面９から天井面１０までの長さに形成されている。
【００３４】
また、縦溝２には、弾性材料８が挿入されている。弾性材料８は、縦溝２の長さ方向に沿って挿入される長い弾性体であり、例えばポリウレタン等の合成樹脂発泡体やエラストマーである。弾性材料８は縦溝２内にあって、透明板４ａの両側縁を支持する。
【００３５】
固定構造１は、図４（Ｃ）及び図６に示すように、透明板４ａが、その両側端縁が互いに向かい合って開口する縦溝２に挿入されて、当該両側端縁が弾性材料８を圧縮した状態で、２本の鋼製構造柱３の間に固定されている。
【００３６】
固定構造の施工方法は、まず、上下の建物構造材７としての梁の間に鋼製構造柱３を２本固定する。鋼製構造柱３は、それぞれの縦溝２のうちの１つ同士が互いに向かって開口するように固定する。
【００３７】
次に、鋼製構造柱３の縦溝２のうち、互いに向かい合って開口する縦溝２の内部に弾性材料８を挿入する。そして次に、図４（Ａ）に示すように透明板４ａを一方の鋼製構造柱３と干渉しないように斜めに向けて保持する。すなわち、透明板４ａの面内方向に他方の鋼製構造柱３の縦溝２が当るとともに、一方の鋼製構造柱３が透明板４ａの面内方向から外れるように透明板４ａを保持する。そして、図４（Ｂ）及び図５に示すように透明板４ａの一方の側縁を他方の鋼製構造柱３の縦溝２に挿入する。他方の鋼製構造柱３の縦溝２内では透明板４ａの一方の側縁が弾性材料８に圧接する。透明板４ａの一方の側縁は縦溝２の溝底２２に接近する位置まで挿入される。
【００３８】
そして、次に、透明板４ａを一方の側縁を軸として揺動させて、透明板４ａの他方の側縁を一方の鋼製構造柱３の縦溝２に接近させ、当該縦溝２に他方の側縁を挿入する。透明板４ａは一方の側縁が他方の鋼製構造柱３の縦溝２内で弾性材料８に圧接しており、他方の側縁が一方の鋼製構造柱３の縦溝２内で弾性材料８に圧接しているので、両側縁の弾性材料８の弾性応力によって、透明板４ａが２本の鋼製構造柱３の間に保持される。
【００３９】
このように、本実施形態においては縦溝２に透明板４ａの側縁を挿入するだけで簡単に透明板４ａを縦溝２に固定することができ、しかも、金具を用いることなく、見栄えよく固定することができる。
【００４９】
なお、本発明の実施の形態は上述の実施形態に限ることなく、本発明の思想の範囲を逸脱しない範囲で適宜変更することができることは云うまでもない。
【産業上の利用可能性】
【００５０】
本発明に係る固定構造１及び固定構造の施工方法は、例えば住宅の構造柱に造作材を固定する構造として好適に用いることがができる。
【符号の説明】
【００５１】
１      固定構造
２      縦溝
３      鋼製構造柱
４      被固定材
４ａ    透明板
４ｂ    溝固定部
８      弾性材料
１１    造作材受具
【図１】
0006485713.tif 000002
【図２】
0006485713.tif 000003
【図３】
0006485713.tif 000004
【図４】
0006485713.tif 000005
【図５】
0006485713.tif 000006
【図６】
0006485713.tif 000007